【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
計算機システムであって、複数のクライアント計算機と、前記クライアント計算機により共用されるストレージと、前記ストレージを管理するための管理コンソールと、前記複数のクライアント計算機と前記ストレージと前記管理コンソールとを相互接続するための接続装置とからなることを特徴とする計算機システム。
【請求項２】
複数の計算機と、
前記複数の計算機に接続されるストレージシステムとを有し、
前記ストレージシステムは、複数の論理ユニットを有しており、
複数の計算機に対して、前記複数の論理ユニットのうち共有となる論理ユニットが設定されており、
各論理ユニットには内部論理ユニット番号及び仮想論理ユニット番号が割り当てられており、
内部論理ユニット番号は、前記ストレージシステム内で論理ユニットを管理するために用いられる番号であり、前記複数の論理ユニットには各々異なる内部論理ユニット番号が割り当てられており、
仮想論理ユニット番号は、計算機からアクセスする論理ユニットを確認するために当該計算機によって使用される番号であり、
各計算機からアクセスされる各計算機ごとの一以上の論理ユニットには、各計算機ごとに０から始まる仮想論理ユニット番号が割り当てられており、仮想論理ユニット番号０は各計算機ごとに複数の計算機に共有となる論理ユニットに割り当てられていることを特徴とするシステム。
【請求項３】
請求項２記載のシステムであって、
前記ストレージシステムは、内部論理ユニット番号と、仮想論理ユニット番号と、当該仮想論理ユニット番号を使用する計算機との対応関係を記憶していることを特徴とするシステム。
【請求項４】
請求項３記載のシステムであって、
前記複数の計算機は各々、当該計算機からアクセス可能な論理ユニットをサーチする際に、仮想論理ユニット番号が０である論理ユニットからサーチを始めて、連続する仮想論理ユニット番号の論理ユニットのサーチを行なうことを特徴とするシステム。
【請求項５】
請求項２記載のシステムであって、
前記複数の計算機は各々、当該計算機からアクセスする論理ユニットをサーチし、検出した論理ユニットに格納されているオペレーションシステムのブートアップ処理を実行することを特徴とするシステム。
【請求項６】
請求項２記載のシステムであって、
各計算機は、仮想論理ユニット番号が０である複数の計算機に共有の論理ユニットに格納されているオペレーティングシステムのブートアップ処理を行うことを特徴とするシステム。
【請求項７】
複数の論理ユニットを有するストレージシステムを、複数の計算機が使用するためのプログラムを記録した記憶媒体であって、前記プログラムは、
複数の計算機について、前記複数の論理ユニットのうち、共有となる論理ユニットを設定するステップと、
前記ストレージシステム内で論理ユニットを管理するために用いられる内部論理ユニット番号を、前記複数の論理ユニットの各々に付与する内部論理ユニット番号付与ステップと、
前記複数の計算機各々が当該計算機からアクセスする論理ユニットを検出する際に用いる仮想論理ユニット番号を、前記複数の論理ユニットのうち当該計算機からアクセスする論理ユニットに対して付与する仮想論理ユニット番号付与ステップとを有し、
前記仮想論理ユニット番号付与ステップは、各計算機からアクセスされる各計算機ごとの一以上の論理ユニットに、各計算機ごとに０から始まる仮想論理ユニット番号を付与するステップと、及び、仮想論理ユニット番号０は各計算機ごとに複数の計算機に共有となる論理ユニットに付与されるステップとを含むことを特徴とする、プログラムを記録した記録媒体。
【請求項８】
請求項７記載のプログラムを記録した記録媒体であって、
前記ストレージシステムは、内部論理ユニット番号と、仮想論理ユニット番号と、当該仮想論理ユニット番号を使用する計算機との対応関係を記憶するメモリを有しており、
前記内部論理ユニット番号付与ステップは、論理ユニットに付与される内部論理ユニット番号を前記メモリに登録するステップを含み、
前記仮想論理ユニット番号付与ステップは、論理ユニットに付与される仮想論理ユニット番号と当該仮想論理ユニット番号を使用する計算機の識別情報を前記メモリに登録するステップを含むことを特徴とする、プログラムを記録した記録媒体。
【請求項９】
複数の計算機に接続されるストレージシステムであって、
制御装置と、
複数の論理ユニットとを有しており、
複数の計算機に対し、前記複数の論理ユニットのうち、共有となる論理ユニットが設定されており、
各論理ユニットには内部論理ユニット番号及び仮想論理ユニット番号が割り当てられており、
内部論理ユニット番号は、前記ストレージシステム内で論理ユニットを管理するために用いられる番号であり、
仮想論理ユニット番号は、各計算機が当該計算機からアクセスする論理ユニットを確認する際に用いられる番号であり、
各計算機からアクセスされる各計算機ごとの一以上の論理ユニットには、各計算機ごとに０から始まる仮想論理ユニット番号が割り当てられており、仮想論理ユニット番号０は各計算機ごとに複数の計算機に共有となる論理ユニットに割り当てられていることを特徴とするストレージシステム。
【請求項１０】
請求項９記載のストレージシステムであって、
前記制御装置は、内部論理ユニット番号と、仮想論理ユニット番号と、当該仮想論理ユニット番号を用いる計算機との対応関係を記憶していることを特徴とするストレージシステム。
【請求項１１】
請求項９記載のストレージシステムであって、
複数の計算機に共有となる論理ユニットには、複数の計算機によって使用されるオペレーションシステムが格納されていることを特徴とするストレージシステム。
【請求項１２】
複数の計算機による、複数の論理ユニットを有するストレージシステムの使用方法であって、
前記ストレージシステム内で論理ユニットを管理するために用いられる内部論理ユニット番号を、前記複数の論理ユニットの各々に付与する内部論理ユニット番号付与ステップと、
前記複数の論理ユニット各々について、当該論理ユニットにアクセスする計算機を設定するステップと、
前記複数の計算機各々が当該計算機からアクセスする論理ユニットを検出する際に用いられる仮想論理ユニット番号を、前記複数の論理ユニットのうち当該計算機からアクセスする論理ユニットに対して付与する仮想論理ユニット番号付与ステップと、
前記複数の計算機のそれぞれについて、当該計算機からアクセスする論理ユニットを、前記仮想論理ユニット番号を用いて検出する論理ユニット検出ステップとを有し、
前記仮想論理ユニット番号付与ステップは、各計算機からアクセスする各計算機ごとの一以上の論理ユニットに、各計算機ごとに０から始まる仮想論理ユニット番号を付与するステップと、及び、仮想論理ユニット番号０は複数の計算機に共有となる論理ユニットに付与されるステップを含むことを特徴とする、ストレージシステムの使用方法。
【請求項１３】
請求項１２記載のストレージシステムの使用方法であって、
更に、前記ストレージシステムに、内部論理ユニット番号と、仮想論理ユニット番号と、当該仮想論理ユニット番号を使用する計算機との対応関係を記憶させるステップを有することを特徴とするストレージシステムの使用方法。
【請求項１４】
請求項１３記載のストレージシステムの使用方法であって、
前記論理ユニット検出ステップは、各計算機が、仮想論理ユニット番号が０の論理ユニットからサーチを始めて、連続する仮想論理ユニット番号の論理ユニットのサーチを行い、ある仮想論理ユニット番号の論理ユニットについて当該論理ユニットが存在しない旨の応答を受信した場合に、論理ユニットのサーチを停止するステップを含むことを特徴とするストレージシステムの使用方法。
【請求項１５】
請求項１２記載のストレージシステムの使用方法であって、
更に、前記複数の計算機が各々、当該計算機によって検出された仮想論理ユニット番号が０の論理ユニットに格納されているオペレーションシステムのブートアップ処理を実行するステップを有することを特徴とするストレージシステムの使用方法。
【手続補正２】
【補正対象書類名】明細書
【補正対象項目名】００６６
【補正方法】変更
【補正の内容】
【００６６】
(2)ブートアップ用仮想LUNの設定
図８に本実施形態のディスクレスPC2と内部LUの関係を表す模式図を示す。共用LU170はディスクレスPC#0(2a)、ディスクレスPC#1(2b)から仮想LUN＝０として、ディスクレスPC#2(2c)から仮想LUN＝０として見える。
【手続補正３】
【補正対象書類名】明細書
【補正対象項目名】００６７
【補正方法】変更
【補正の内容】
【００６７】
共用OSは共用LU170に共用アプリケーションと同様に格納する。第二実施形態と異なるのは、ディスクレスPC2のブートアップ制御回路221に設定したブートLUがディスクレスPC #0(2a)、ディスクレスPC#1(2b)では仮想LUN＝０に、ディスクレスPC#2(2c)では仮想LUN＝０に設定することである。これにより、各ディスクレスPC2のブートアップ制御回路221は共用LU170を仮想ブートディスクとして制御し、OSを起動する。
【手続補正４】
【補正対象書類名】明細書
【補正対象項目名】００６８
【補正方法】変更
【補正の内容】
【００６８】
(3)共用OS用設定情報
第二実施形態の共用アプリケーション用設定情報と同様、各ディスクレスPC2それぞれの設定情報が必要になる。設定情報としては、使用ライセンス情報、個人情報、各種環境情報等がある。これらは、共用アプリケーションと同様、各ディスクレスPC2毎に、対応する専用LUに共用OS設定情報として格納する。このように共用ＯＳを構成することで、複数ユーザで共用しながらも各ユーザ毎に異なるＯＳ環境を構築でき、また、不正使用の防止等にも配慮できる。